(57)【特許請求の範囲】
【請求項１】
監視領域における異常の発生を報知するための受信機と前記受信機に関する情報を管理する管理端末との間の無線通信のための通信システムであって、
前記受信機に接続される第１無線通信装置と、
前記管理端末に接続される第２無線通信装置と、を備え、
前記第１無線通信装置と前記第２無線通信装置とは、前記第１無線通信装置が接続されている前記受信機と前記第２無線通信装置が接続されている前記管理端末とが、前記第１無線通信装置及び前記第２無線通信装置のみを介して無線通信できるように、互いに関連付けられており、
前記管理端末による前記受信機の管理処理は、
前記受信機及び前記管理端末の電源がオンである場合において、
前記第１無線通信装置を前記受信機に接続し、前記第２無線通信装置を前記管理端末に接続した場合に実行される、
通信システム。
【請求項２】
前記受信機に関する情報は、前記受信機を設定するための情報を含んでいる、
請求項１に記載の通信システム。
【請求項３】
前記受信機に関する情報は、前記受信機の動作履歴を示す情報を含んでいる、
請求項１又は２に記載の通信システム。
【請求項４】
前記受信機に関する情報は、前記異常の発生に関する情報を含んでいる、
請求項１から３の何れか一項に記載の通信システム。
【請求項５】
前記第１無線通信装置は、前記受信機に対して着脱可能になっており、
前記第２無線通信装置は、前記管理端末に対して着脱可能になっている、
請求項１から４の何れか一項に記載の通信システム。
【発明の詳細な説明】
【技術分野】
【０００１】
本発明は、通信システムに関する。
【背景技術】
【０００２】
従来、感知器から受信した火災信号に基づいて、監視領域の状態を報知する受信機が知られている（例えば、特許文献１）。この受信機を用いる場合、当該受信機に対して所定の設定を行ったり、当該受信機の動作状態を確認したりする等の管理作業が行われることがある。そして、この管理作業に関して、受信機に対する設定については、受信機に対するマニュアル操作により行われており、また、受信機の動作状態の確認については、受信機専用の表示装置を受信機に対して通信ケーブルを用いて有線接続し、当該表示装置に受信機の状態を表示することにより行われていた。
【先行技術文献】
【特許文献】
【０００３】
【特許文献１】特開２０１１-１２３９１９号公報
【発明の概要】
【発明が解決しようとする課題】
【０００４】
しかしながら、受信機に対して行われる設定に関する管理作業については、受信機に対するマニュアル操作により行われているので、例えば、設定項目が増大した場合に、当該管理作業が煩雑になり、当該管理作業の作業効率が低下する虞がある。
また、受信機の動作状態の確認に関する管理作業については、受信機専用の表示装置を受信機に対して通信ケーブルを用いて有線接続する必要があるので、例えば、当該通信ケーブルを引き回すことを要するために、受信機専用の表示装置を所定の位置に設置する必要があり、当該管理作業を行う場所が制限されてしまい、当該管理作業の作業効率が低下する虞がある。
更に、例えば、受信機に対して無線通信を介してアクセスし、前述の管理作業を当該無線通信を介して行うようにした場合、受信機との間で無線通信を行うことができる無線装置を用いて当該受信機に対して比較的容易にアクセスすることが可能になるので、受信機に対する不正アクセスが発生する虞がある。
【０００５】
本発明は上記問題に鑑みてなされたもので、第１装置と第２装置との間の無線通信を可能にし、且つ、当該無線通信のセキュリティを強化することができる、通信システムを提供することを目的とする。
【課題を解決するための手段】
【０００６】
上述した課題を解決し、目的を達成するために、請求項１に記載の通信システムは、監視領域における異常の発生を報知するための受信機と前記受信機に関する情報を管理する管理端末との間の無線通信のための通信システムであって、前記受信機に接続される第１無線通信装置と、前記管理端末に接続される第２無線通信装置と、を備え、前記第１無線通信装置と前記第２無線通信装置とは、前記第１無線通信装置が接続されている前記受信機と前記第２無線通信装置が接続されている前記管理端末とが、前記第１無線通信装置及び前記第２無線通信装置のみを介して無線通信できるように、互いに関連付けられており、前記管理端末による前記受信機の管理処理は、前記受信機及び前記管理端末の電源がオンである場合において、前記第１無線通信装置を前記受信機に接続し、前記第２無線通信装置を前記管理端末に接続した場合に実行される。
【０００８】
また、請求項２に記載の通信システムは、請求項１に記載の通信システムにおいて、前記受信機に関する情報は、前記受信機を設定するための情報を含んでいる。
【０００９】
また、請求項３に記載の通信システムは、請求項１又は２に記載の通信システムにおいて、前記受信機に関する情報は、前記受信機の動作履歴を示す情報を含んでいる。
【００１０】
また、請求項４に記載の通信システムは、請求項１から３の何れか一項に記載の通信システムにおいて、前記受信機に関する情報は、前記異常の発生に関する情報を含んでいる。
【００１１】
また、請求項５に記載の通信システムは、請求項１から４の何れか一項に記載の通信システムにおいて、前記第１無線通信装置は、前記受信機に対して着脱可能になっており、前記第２無線通信装置は、前記管理端末に対して着脱可能になっている。
【発明の効果】
【００１２】
請求項１に記載の通信システムによれば、受信機と管理端末とが第１無線通信装置及び第２無線通信装置のみを介して無線通信できるように、第１無線通信装置と第２無線通信装置とが互いに関連付けられているので、受信機と管理端末との間の無線通信を可能にし、且つ、当該無線通信のセキュリティを強化することができる。
また、セキュリティが強化された無線通信を介して、管理端末が受信機にアクセスすることができ、受信機に対する不正アクセスを防止しつつ、受信機に関する管理作業の作業効率を向上させることができる。
【００１４】
請求項２に記載の通信システムによれば、受信機に関する情報が、当該受信機を設定するための情報を含んでいるので、受信機に対して行われる設定に関する管理作業を、例えば管理端末を用いて行うことができ、受信機に関する管理作業の作業効率を向上させることができる。
【００１５】
請求項３に記載の通信システムによれば、受信機に関する情報が、当該受信機の動作履歴を示す情報を含んでいるので、受信機の動作状態の確認に関する管理作業を、例えば管理端末を用いて行うことができ、受信機に関する管理作業の作業効率を向上させることができる。
【００１６】
請求項４に記載の通信システムによれば、受信機に関する情報が、監視領域における異常の発生に関する情報を含んでいるので、受信機と管理端末との間の無線通信のセキュリティを向上させつつ、異常の発生に関する受信機の状態を、管理端末を用いて確認することができる。
【００１７】
請求項５に記載の通信システムによれば、第１無線通信装置が、受信機に対して着脱可能になっており、第２無線通信装置が、管理端末に対して着脱可能になっているので、受信機と管理端末との間での無線通信を行う必要がない場合には第１無線通信装置及び第２無線通信装置を取り外すことができ、無線通信のセキュリティを更に強化することができる。
【図面の簡単な説明】
【００１８】
【図１】本発明の実施の形態に係る通信システム等の斜視図である。
【図２】実施の形態に係る通信システム等のブロック図である。
【図３】実施の形態に係る管理処理のフローチャートである。
【発明を実施するための形態】
【００１９】
以下に、本発明に係る通信システムの実施の形態を図面に基づいて詳細に説明する。なお、この実施の形態によりこの発明が限定されるものではない。
【００２０】
〔実施の形態の基本的概念〕
まずは、実施の形態の基本的概念について説明する。実施の形態は、概略的に、第１無線通信手段が接続されている第１装置と第２無線通信手段が接続されている第２装置とが、第１無線通信手段と第２無線通信手段とを介して無線通信できるように、第１無線通信手段と第２無線通信手段とが互いに関連付けられている通信システムに関するものである。
以下の実施の形態においては、本発明をＰ型の受信機及び管理端末に適用した例を示すが、発報信号を出力した感知器を個別に特定することが可能なＲ型の受信機及び管理端末に本発明を適用することもでき、これらの装置以外の防災システムに関する装置に本発明を適用することもでき、防災システム以外の装置に本発明を提供することもできる。
【００２１】
（構成）
まず、本実施の形態に係る通信システム３が適用される受信機１及び管理端末２の構成について説明した後、通信システム３の構成について説明する。図１は、本実施の形態に係る通信システム等の斜視図である。また、図２は、本実施の形態に係る通信システム等を示すブロック図である。
【００２２】
（構成‐受信機）
はじめに、図１の受信機１は、各種信号を受信して、受信した信号に応じた処理を行う防災受信手段である。具体的には、この受信機１は、例えば、感知器（不図示）から発報信号を受信した場合に、異常の発生を報知する第１装置であり、図２に示すように、操作部１１、表示部１２、音響部１３、記憶部１４、接続部１５、及び制御部１６を備える。なお、「感知器」とは、監視領域における異常発生を検出した場合に、異常発生を検出したことを示す発報信号を出力する装置であり、例えば、煙感知器、ガス感知器、又は熱感知器等である。
【００２３】
（構成‐受信機‐操作部）
図２の受信機１に設けた操作部１１は、受信機１に対する各種の操作を行うための操作手段であり、具体的には、図１に示すように、受信機１の正面に設けられている各種操作ボタン１１１等を備えて構成されている。
【００２４】
（構成‐受信機‐表示部）
図２の受信機１に設けた表示部１２は、防災に関する各種情報を表示するための表示手段であり、具体的には、図１に示すように、受信機１の正面に設けられている複数の表示灯１２１等を備えて構成されている。
【００２５】
（構成‐受信機‐音響部）
図２の音響部１３は、防災に関する各種警報音を出力するための音響手段であり、具体的には、図１に示すように、受信機１の正面に設けられているスピーカ１３１等を備えて構成されている。
【００２６】
（構成‐受信機‐記憶部）
図２の受信機１に設けた記憶部１４は、受信機１の動作に必要なプログラム及び各種デ−タが記憶されている記憶手段であり、具体的には、動作履歴情報が記憶されている。ここで、「動作履歴情報」とは、受信機１において過去に発生したイベント（例えば、発報信号の受信、警報音の出力、復旧等）を特定する情報であり、例えば、発生したイベントと当該イベントの発生時刻とが対応付けられている情報である。
【００２７】
（構成‐受信機‐接続部）
図２の受信機１に設けた接続部１５は、受信機１に対して所定の機器を接続するための接続手段であり、具体的には、図１に示すように、受信機１の正面に設けられている接続端子である。この接続部１５は、更に具体的には、所定に規格（例えば、ＵＳＢ：Universal Serial Bus）に基づいて設けられている接続端子である。
【００２８】
（構成‐受信機‐制御部）
図２の受信機１に設けた制御部１６は、受信機１に関する各種の制御を行う制御手段であり、具体的には、ＣＰＵ、当該ＣＰＵ上で解釈実行される各種のプログラム（ＯＳなどの基本制御プログラムや、ＯＳ上で起動され特定機能を実現するアプリケ−ションプログラムを含む）、及びプログラムや各種のデ−タを格納するためのＲＡＭの如き内部メモリを備えて構成されるコンピュ−タである。特に、実施の形態に係る通信プログラムは、任意の記録媒体又はネットワ−クを介して制御部１６にインスト−ルされることで、制御部１６の各部を実質的に構成する（後述する管理端末２の制御部２５も同様とする）。
【００２９】
この制御部１６は、機能概念的に、監視部１６１、処理部１６２、暗号化部１６３、及び復号化部１６４を有する。
【００３０】
（構成‐受信機‐制御部‐監視部）
監視部１６１は、感知器から出力される発報信号を監視することにより、監視領域での異常の発生を監視するための処理を行う監視手段である。なお、監視部１６１によって行われる処理は公知であるので、説明を省略する。
【００３１】
（構成‐受信機‐制御部‐処理部）
処理部１６２は、所定の処理を行う処理手段である（後述する管理端末２の処理部２５１も同様とする）。なお、処理部１６２の詳細については、後述する。
【００３２】
（構成‐受信機‐制御部‐暗号化部）
暗号化部１６３は、情報の暗号化を行う暗号化手段である（後述する管理端末２の暗号化部２５２も同様とする）。なお、暗号化部１６３の詳細については、後述する。
【００３３】
（構成‐受信機‐制御部‐復号化部）
復号化部１６４は、情報の復号化を行う復号化手段である（後述する管理端末２の復号化部２５３も同様とする）。なお、復号化部１６４の詳細については、後述する。
【００３４】
（構成‐管理端末）
次に、管理端末２は、受信機１に関する管理を行う管理手段である。具体的には、この管理端末２は、例えば、パーソナルコンピュータ等を含む汎用的に用いられる装置、又は、受信機１のための専用装置等によって構成されている第２装置であり、操作部２１、表示部２２、記憶部２３、接続部２４、及び制御部２５を備える。
（構成‐管理端末‐操作部）
図２の管理端末２に設けた操作部２１は、受信機１に対する各種の操作を行うための操作手段であり、具体的には、図１に示すように、キーボード２１１、タッチパネル（不図示）等を備えて構成されている。
【００３５】
（構成‐管理端末‐表示部）
図２の管理端末２に設けた表示部２２は、受信機１を管理するための各種情報を表示するための表示手段であり、具体的には、図１に示すように、ディスプレイ２２１等を備えて構成されている。
【００３６】
（構成‐管理端末‐記憶部）
図２の管理端末２に設けた記憶部２３は、受信機１の動作に必要なプログラム及び各種デ−タが記憶されている記憶手段である。
【００３７】
（構成‐管理端末‐接続部）
図２の管理端末２に設けた接続部２４は、管理端末２に対して所定の機器を接続するための接続手段であり、具体的には、図１に示すように、管理端末２の所定位置に設けられている接続端子である。この接続部２４は、更に具体的には、前述した受信機１の接続部１５と同様な規格に基づいて設けられている接続端子である。
【００３８】
（構成‐管理端末‐制御部）
図２の管理端末２に設けた制御部２５は、管理端末２に関する各種の制御を行う制御手段であり、機能概念的に、処理部２５１、暗号化部２５２、及び復号化部２５３を有する。
【００３９】
（構成‐通信システム）
次に、通信システム３は、互いに異なる装置間における無線通信のための通信システムであり、具体的には、受信機１への不正アクセスを防止しつつ、受信機１と管理端末２との間の無線通信を行うための通信システムである。この通信システム３は、互いに関連付けられている第１無線通信装置３ａ及び第２無線通信装置３ｂを備える。
【００４０】
（構成‐通信システム‐第１無線通信装置）
第１無線通信装置３ａは、後述する第２無線通信装置３ｂと対となって無線通信を行うための第１無線通信手段である。この第１無線通信装置３ａは、具体的には、受信機１と管理端末２との間において無線通信が行われるように受信機１に対して接続される装置であり、通信部３１ａ、接続部３２ａ及び記憶部３３ａを備える。
【００４１】
（構成‐通信システム‐第１無線通信装置‐通信部）
図２の第１無線通信装置３ａに設けた通信部３１ａは、第２無線通信装置３ｂとの間で無線通信を行うための通信手段であり、具体的には、図１に示すように、無線通信を行うためのアンテナ３１１ａ等を備えて構成されている。
【００４２】
（構成‐通信システム‐第１無線通信装置‐接続部）
図２の第１無線通信装置３ａに設けた接続部３２ａは、第１無線通信装置３ａを所定の機器に接続するための接続手段であり、具体的には、図１に示すように、第１無線通信装置３ａの所定位置に設けられている接続端子である。この接続部３２ａは、受信機１の接続部１５と同様な規格に基づいて設けられており、受信機１に対して第１無線通信装置３ａを着脱自在に取り付けられるように、受信機１の接続部１５に対応する形状を呈している。
【００４３】
（構成‐通信システム‐第１無線通信装置‐記憶部）
図２の記憶部３３ａは、各種データが記憶されている記憶手段であり、具体的には、後述する第１鍵情報が記憶されている。
【００４４】
（構成‐通信システム‐第２無線通信装置）
第２無線通信装置３ｂは、第１無線通信装置３ａと対となって無線通信を行うための第２無線通信手段である。この第２無線通信装置３ｂは、具体的には、受信機１と管理端末２との間において無線通信が行われるように管理端末２に対して接続される装置であり、通信部３１ｂ、接続部３２ｂ及び記憶部３３ｂを備える。なお、第２無線通信装置３ｂの構成は、特記する事項以外に関して、第１無線通信装置３ａの構成と同様である。
【００４５】
（構成‐通信システム‐第２無線通信装置‐通信部）
通信部３１ｂは、第１無線通信装置３ａとの間で無線通信を行うための通信手段であり、具体的には、図１に示すように、無線通信を行うためのアンテナ３１１ｂ等を備えて構成されている。
【００４６】
（構成‐通信システム‐第２無線通信装置‐接続部）
図２の第２無線通信装置３ｂに設けた接続部３２ｂは、第２無線通信装置３ｂを所定の機器に接続するための接続手段であり、具体的には、図１に示すように、第２無線通信装置３ｂの所定位置に設けられている接続端子である。この接続部３２ｂは、管理端末２の接続部２４と同様な規格に基づいて設けられており、管理端末２に対して第２無線通信装置３ｂを着脱自在に取り付けられるように、管理端末２の接続部２４に対応する形状を呈している。
【００４７】
（構成‐通信システム‐第２無線通信装置‐記憶部）
図２の記憶部３３ｂは、各種データが記憶されている記憶手段であり、具体的には、後述する第２鍵情報が記憶されている。
【００４８】
（処理）
次に、このように構成された通信システム３を用いて行われる管理処理について説明する。
【００４９】
ここで、「管理処理」とは、管理端末２を用いて受信機１を管理するための処理であり、具体的には、受信機１から動作履歴情報を取得する処理、及び、受信機１を設定する処理等を示している。この管理処理は、受信機１及び管理端末２の電源スイッチをオンした後に、第１無線通信装置３ａを受信機１に接続し、第２無線通信装置３ｂを管理端末２に接続した場合に、起動する。なお、この各無線通信装置の接続作業については、例えば、受信機１の管理作業を行う作業者によって行われるが、各無線通信装置が軽量且つコンパクトに形成されているために、当該接続作業を容易に行うことができる。
【００５０】
まず、図３は、実施の形態に係る管理処理のフローチャートである（以下の各処理の説明ではステップを「Ｓ」と略記する）。ＳＡ１において管理端末２の制御部２５は、管理端末２に対して要求情報が入力されたか否かを監視する。具体的には、操作部２１を介して当該要求情報が入力されたか否かを監視する。そして、要求情報が入力された場合（ＳＡ１のＹＥＳ）、ＳＡ２へ移行する。また、要求情報が入力されない場合（ＳＡ１のＮＯ）、再度、ＳＡ１の処理を行う。ここで、「要求情報」とは、受信機１に対する要求内容を示す情報であり、具体的には後述する。
【００５１】
次に、ＳＡ２において管理端末２の暗号化部２５２は、ＳＡ１で入力された要求情報の暗号化を行う。具体的には、暗号化部２５２は、管理端末２に接続されている第２無線通信装置３ｂの記憶部３３ｂに記憶されている後述の第２鍵情報を取得し、取得した第２鍵情報を用いて要求情報の暗号化を行う。
【００５２】
次に、ＳＡ３において第２無線通信装置３ｂの通信部３１ｂは、ＳＡ２で暗号化された要求情報（以下、「暗号化要求情報」）を示す要求信号を生成し、生成した要求信号を送信する。
【００５３】
一方、ＳＢ１において第１無線通信装置３ａの通信部３１ａは、ＳＡ３で送信された要求信号を受信したか否かを監視する。具体的には、第２無線通信装置３ｂとの間の無線通信を介して当該要求信号を受信したか否かを監視する。そして、要求信号を受信した場合（ＳＢ１のＹＥＳ）、ＳＢ２へ移行する。また、要求信号を受信しなかった場合（ＳＢ１のＮＯ）、再度、ＳＢ１の処理を行う。
【００５４】
次に、ＳＢ２において第１無線通信装置３ａの通信部３１ａは、ＳＢ１で受信した要求信号から暗号化要求情報を取得する。
【００５５】
次に、ＳＢ３において受信機１の復号化部１６４は、ＳＢ２で取得した暗号化要求情報を復号化することにより、要求情報を復元する。具体的には、復号化部１６４は、受信機１に接続されている第１無線通信装置３ａの記憶部３３ａに記憶されている後述の第１鍵情報を取得し、取得した第１鍵情報を用いて暗号化要求情報の復号化を行う。
【００５６】
ここで、「第１鍵情報」とは、所定の方式で暗号化又は復号化を行うために受信機１で用いられる情報であり、具体的には、例えば所定桁数の文字列等の秘密情報である。また、前述の「第２鍵情報」とは、所定の方式で暗号化又は復号化を行うために管理端末２で用いられる情報であり、具体的には、例えば所定桁数の文字列等の秘密情報である。そして、これらの第１鍵情報及び第２鍵情報は、互いに関連付けられている。ここで、「互いに関連付けられている」とは、受信機１と管理端末２とが第１無線通信装置３ａ及び第２無線通信装置３ｂのみを介して無線通信できるように、これらの第１鍵情報及び第２鍵情報が設定されていることを意味する。例えば、第１鍵情報を用いて暗号化を行った情報を、第２鍵情報を用いて復号化を行うことが可能となり、且つ、第２鍵情報を用いて暗号化を行った情報を、第１鍵情報を用いて復号化を行うことが可能となるように、第１鍵情報及び第２鍵情報が設定されていることを示している。そして、これらの第１鍵情報及び第２鍵情報は、例えば、通信システム３を製造する場合に、製造者によって予め関連付けられていることとしてもよい。
【００５７】
次に、ＳＢ４において受信機１の処理部１６２は、ＳＢ３で復元した要求情報に応じた処理を行う。なお、ＳＢ４での処理の詳細については、後述の具体例において説明する。
【００５８】
次に、ＳＢ５において受信機１の処理部１６２は、ＳＢ４での処理に基づいて、応答情報を生成する。ここで、「応答情報」とは、処理部１６２の応答結果に関する情報であり、具体的には後述する。なお、ＳＢ５での処理の詳細については、後述の具体例において説明する。
【００５９】
次に、ＳＢ６において受信機１の暗号化部１６３は、ＳＢ５で生成した応答情報の暗号化を行う。具体的には、暗号化部１６３は、受信機１に接続されている第１無線通信装置３ａの記憶部３３ａに記憶されている第１鍵情報を取得し、取得した第１鍵情報を用いて応答情報の暗号化を行う。
【００６０】
次に、ＳＢ７において第１無線通信装置３ａの通信部３１ｂは、ＳＢ６で暗号化された応答情報（以下、「暗号化応答情報」）を示す応答信号を生成し、生成した応答信号を送信した後、処理を終了する。
【００６１】
一方、ＳＡ４において第２無線通信装置３ｂの通信部３１ｂは、ＳＢ７で送信された応答信号を受信したか否かを監視する。具体的には、第１無線通信装置３ａとの間の無線通信を介して当該応答信号を受信したか否かを監視する。そして、応答信号を受信した場合（ＳＡ４のＹＥＳ）、ＳＡ５へ移行する。また、応答信号を受信しなかった場合（ＳＡ４のＮＯ）、再度、ＳＡ４の処理を行う。
【００６２】
次に、ＳＡ５において第２無線通信装置３ｂの通信部３１ｂは、ＳＡ４で受信した応答信号から暗号化応答情報を取得する。
【００６３】
次に、ＳＡ６において管理端末２の復号化部２５３は、ＳＡ５で取得した暗号化応答情報を復号化することにより、応答情報を復元する。具体的には、復号化部２５３は、管理端末２に接続されている第２無線通信装置３ｂの記憶部３３ｂに記憶されている第２鍵情報を取得し、取得した第２鍵情報を用いて暗号化応答情報の復号化を行う。
【００６４】
次に、ＳＡ７において管理端末２の処理部２５１は、ＳＡ６で復元した応答情報に応じた処理を行った後、処理を終了する。なお、ＳＡ７での処理の詳細については、後述の具体例において説明する。
【００６５】
（処理‐具体例）
次に、受信機１から動作履歴情報を取得する場合の管理処理の具体例と、受信機１を設定する場合の具体例とについて説明する。
【００６６】
（処理‐具体例‐動作履歴情報の取得）
受信機１から動作履歴情報を取得する場合、管理作業を行う作業者は、動作履歴情報の送信を命令する命令情報を含む要求情報を管理端末２に入力する。
【００６７】
この場合（ＳＡ１のＹＥＳ）、管理端末２は、ＳＡ２の処理を行った後、要求信号を送信する（ＳＡ３）。
【００６８】
次に、受信機１は、要求信号を受信し（ＳＢ１のＹＥＳ）、ＳＢ２及びＳＢ３の処理を行った後、要求情報に応じた処理を行う（ＳＢ４）。このＳＢ４では、具体的には、受信機１の処理部１６２は、記憶部１４に記憶されている動作履歴情報を取得する。次に、当該処理部１６２は、取得した動作履歴情報を含む応答情報を生成する（ＳＢ５）。この後、受信機１は、ＳＢ６の処理を行った後、応答信号を送信する（ＳＢ７）。
【００６９】
次に、管理端末２は、応答信号を受信し（ＳＡ４のＹＥＳ）、ＳＡ５及びＳＡ６の処理を行った後、応答情報に応じた処理を行う（ＳＡ７）。このＳＡ７では、具体的には、管理端末２は、応答情報に含まれている動作履歴情報を表示部２２に表示したり、当該情報を記憶部２３に記憶したりする。
【００７０】
（処理‐具体例‐受信機の設定）
受信機１を設定する場合、管理作業を行う作業者は、設定を命令する命令情報と設定内容を特定する設定内容特定情報とを含む要求情報を管理端末２に入力する。ここで、「設定」とは、受信機１に対する設定であり、例えば、受信機１に接続される感知器に関する設定、警報音の出力時間及び音量の設定等に対応している。
【００７１】
前述の要求情報が入力された場合（ＳＡ１のＹＥＳ）、管理端末２がＳＡ２及びＳＡ３の処理を行った後、受信機１がＳＢ１〜ＳＢ３の処理を行う。
【００７２】
次に、受信機１の処理部１６２は、要求情報に含まれている設定内容特定情報に基づいて、受信機１を設定し、設定が正常に行われたか否かの判断を行う（ＳＢ４）。次に、当該取得部４は、ＳＢ４での判断結果を示す判断結果情報を含む応答情報を生成（ＳＢ５）した後、ＳＢ６及びＳＢ７の処理を行う。
【００７３】
次に、管理端末２は、ＳＡ４〜ＳＡ６の処理を行った後、応答情報に含まれている判断結果情報に基づいて、設定が正常に行われたか否かを示す情報を表示部２２に表示したり、当該情報を記憶部２３に記憶したりする（ＳＡ７）。
【００７４】
（実施の形態の効果）
このように本実施の形態によれば、受信機１と管理端末２とが第１無線通信装置３ａ及び第２無線通信装置３ｂのみを介して無線通信できるように、第１無線通信装置３ａと第２無線通信装置３ｂとが互いに関連付けられているので、受信機１と管理端末２との間の無線通信を可能にし、且つ、当該無線通信のセキュリティを強化することができる。
【００７５】
また、セキュリティが強化された無線通信を介して、管理端末２が受信機１にアクセスすることができ、受信機１に対する不正アクセスを防止しつつ、受信機１に関する管理作業の作業効率を向上させることができる。
【００７６】
また、受信機１を設定する場合に、管理端末２に入力される要求情報が設定内容特定情報を含んでいるので、受信機１に対して行われる設定に関する管理作業を、管理端末２を用いて行うことができ、受信機１に関する管理作業の作業効率を向上させることができる。
【００７７】
また、動作履歴情報を取得する場合に、受信機１に送信される応答情報が動作履歴情報を含んでいるので、受信機１の動作状態の確認に関する管理作業を、管理端末２を用いて行うことができ、受信機１に関する管理作業の作業効率を向上させることができる。
【００７８】
また、第１無線通信装置３ａが、受信機１に対して着脱可能になっており、第２無線通信装置３ｂが、管理端末２に対して着脱可能になっているので、第１無線通信装置３ａと第２無線通信装置３ｂとの間での無線通信を行う必要がない場合には第１無線通信装置３ａ及び第２無線通信装置３ｂを取り外すことができ、無線通信のセキュリティを更に強化することができる。
【００７９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００８１】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、受信機１における処理部１６２、暗号化部１６３及び復号化部１６４のうちの少なくとも一部が第１無線通信装置３ａに設けられていることとしてもよいし、管理端末２における処理部２５１、暗号化部２５２及び復号化部２５３のうちの少なくとも一部が第２無線通信装置３ｂに設けられていることとしてもよい。
【００８２】
（受信機から取得する情報について）
上記実施の形態では、図２の通信システム３を介して管理端末２が受信機１から取得する情報が動作履歴情報である場合について説明したが、これに限られるものではない。例えば、通信システム３を用いて異常の発生に関する情報を管理端末２が受信機１から取得することとしてもよい。ここで、「異常の発生に関する情報」とは、監視領域での異常の発生についての情報であり、具体的には、図２の受信機１における監視部１６１の監視結果を示す情報である。異常の発生に関する情報の取得について具体的には、管理端末２が要求信号を所定時間毎に繰り返し出力することにより、異常の発生に関する情報を所定時間毎に繰り返し取得することとしてもよいし、要求信号に関わらず受信機１が異常の発生に関する情報を所定時間毎に繰り返し送信し、この送信された異常の発生に関する情報を所定時間毎に繰り返し取得することとしてもよい。そして、管理端末２は、取得した異常の発生に関する情報を、図２における管理端末２のディスプレイ２２１に表示することとしてもよい。この場合、受信機１と管理端末２との間の無線通信のセキュリティを向上させつつ、異常の発生に関する受信機１の状態を、管理端末２を用いて確認することができる。
【００８３】
（無線通信装置について）
上記実施の形態における図２の管理端末２は、例えば、テレビ、いわゆるセキュリティ用受信盤、又は作業者が携帯可能であるいわゆるタブレット端末等によって構成されていることとしてもよい。
【００８４】
（無線通信装置の個数について）
上記実施の形態では、図２の通信システム３に対して２個の無線通信装置が設けられている場合について説明したが、これに限られるものではない。例えば、通信システム３に対して３個以上の無線通信装置が設けられており、これらの無線通信装置夫々が無線通信を行うように関連付けられていることとしてもよい。
【００８５】
（無線通信装置の関連付けについて）
上記実施の形態では、受信機１と管理端末２とが第１無線通信装置３ａ及び第２無線通信装置３ｂのみを介して無線通信可能となるような方法として、第１鍵情報を用いて暗号化を行った情報を、第２鍵情報を用いて復号化を行うことが可能となり、且つ、第２鍵情報を用いて暗号化を行った情報を、第１鍵情報を用いて復号化を行うことが可能となるように、第１鍵情報及び第２鍵情報を設定する方法を例示したが、この他の方法を採用してもよい。例えば、第１無線通信装置３ａと第２無線通信装置３ｂとに同じパスワードを登録しておき、受信機１と管理端末２とが第１無線通信装置３ａ及び第２無線通信装置３ｂを介して無線通信するための通信確立を行う際に、第１無線通信装置３ａのパスワードと第２無線通信装置３ｂのパスワードが相互に一致することを条件として通信確立を行い、その後は情報を暗号化することなく通信を行ってもよい。
【００８６】
（接続部の位置について）
上記実施の形態では、図１に示すように、接続部１５が受信機１の正面に設けられている場合について説明したが、これに限られるものではない。接続部１５については、例えば、受信機１の側面に設けられていることとしてもよい。
【００８７】
（付記）
付記１の通信システムは、第１装置と前記第１装置とは異なる第２装置との間の無線通信のための通信システムであって、前記第１装置に接続される第１無線通信手段と、前記第２装置に接続される第２無線通信手段と、を備え、第１無線通信手段と第２無線通信手段とは、前記第１無線通信手段が接続されている前記第１装置と前記第２無線通信手段が接続されている前記第２装置とが、前記第１無線通信手段及び前記第２無線通信手段のみを介して無線通信できるように、互いに関連付けられている。
【００８８】
また、付記２の通信システムは、付記１に記載の通信システムにおいて、前記第１装置は、監視領域における異常の発生を報知するための受信機であり、前記第２装置は、前記受信機に関する情報を管理する管理端末である。
【００８９】
また、付記３の通信システムは、付記２に記載の通信システムにおいて、前記受信機に関する情報は、前記受信機を設定するための情報を含んでいる。
【００９０】
また、付記４の通信システムは、付記２又は３に記載の通信システムにおいて、前記受信機に関する情報は、前記受信機の動作履歴を示す情報を含んでいる。
【００９１】
また、付記５の通信システムは、付記２から４の何れか一項に記載の通信システムにおいて、前記受信機に関する情報は、前記異常の発生に関する情報を含んでいる。
【００９２】
また、付記６の通信システムは、付記１から５の何れか一項に記載の通信システムにおいて、前記第１無線通信手段は、前記第１装置に対して着脱可能になっており、前記第２無線通信手段は、前記第２装置に対して着脱可能になっている。
（付記の効果）
【００９３】
付記１に記載の通信システムによれば、第１装置と第２装置とが第１無線通信手段及び第２無線通信手段のみを介して無線通信できるように、第１無線通信手段と第２無線通信手段とが互いに関連付けられているので、第１装置と第２装置との間の無線通信を可能にし、且つ、当該無線通信のセキュリティを強化することができる。
【００９４】
付記２に記載の通信システムによれば、第１装置が受信機であり、第２装置が管理端末であるので、セキュリティが強化された無線通信を介して、管理端末が受信機にアクセスすることができ、受信機に対する不正アクセスを防止しつつ、受信機に関する管理作業の作業効率を向上させることができる。
【００９５】
付記３に記載の通信システムによれば、受信機に関する情報が、当該受信機を設定するための情報を含んでいるので、受信機に対して行われる設定に関する管理作業を、例えば第２装置を用いて行うことができ、受信機に関する管理作業の作業効率を向上させることができる。
【００９６】
付記４に記載の通信システムによれば、受信機に関する情報が、当該受信機の動作履歴を示す情報を含んでいるので、受信機の動作状態の確認に関する管理作業を、例えば第２装置を用いて行うことができ、受信機に関する管理作業の作業効率を向上させることができる。
【００９７】
付記５に記載の通信システムによれば、受信機に関する情報が、監視領域における異常の発生に関する情報を含んでいるので、受信機と管理端末との間の無線通信のセキュリティを向上させつつ、異常の発生に関する受信機の状態を、管理端末を用いて確認することができる。
【００９８】
付記６に記載の通信システムによれば、第１無線通信手段が、第１装置に対して着脱可能になっており、第２無線通信手段が、第２装置に対して着脱可能になっているので、第１装置と第２装置との間での無線通信を行う必要がない場合には第１無線通信手段及び第２無線通信手段を取り外すことができ、無線通信のセキュリティを更に強化することができる。
【符号の説明】
【００９９】
１  受信機
２  管理端末
３  通信システム
３ａ  第１無線通信装置 
３ｂ  第２無線通信装置 
１１、２１  操作部
１２、２２  表示部
１３  音響部
１４、２３、３３ａ、３３ｂ  記憶部
１５、２４、３２ａ、３２ｂ  接続部
１６、２５  制御部
３１ａ、３１ｂ  通信部
１１１  操作ボタン
１２１  表示灯
１３１  スピーカ
１６１  監視部
１６２、２５１  処理部
１６３、２５２  暗号化部
１６４、２５３  復号化部
２１１  キーボード
２２１  ディスプレイ
３１１ａ、３１１ｂ  アンテナ
【図１】
0006480718.tif 000002
【図２】
0006480718.tif 000003
【図３】
0006480718.tif 000004